(57)【要約】【課題】追記時におけるデータの記録位置と、前回のデータの記録位置とのズレを抑えることにより、再生時におけるエラーレートを低減し、且つ書換記録についても適正に行える光ディスク装置を提供する。【解決手段】光ディスク装置１は、ユーザデータの記録を終了するときに、リンキング領域に照射するレーザ光のパワーを徐々に低下させる。このため、リンキング領域には、その幅が徐々に細くなっていくマークが記録される。したがって、ユーザデータの追記時に、リンキング領域において形成されているマークの信号と、ウォブル信号との干渉を抑えることができ、追記時に前回のユーザデータの記録位置と、今回のユーザデータの記録位置とのずれが低減できる。【選択図】図１
2005025881.tif 000002
【特許請求の範囲】
【請求項１】
本体にセットされた光ディスクに対して、データを記録するのに適したレーザ光のパワーを取得する記録パワー取得手段と、
上記記録パワー取得手段により取得した記録パワーのレーザ光を照射してデータを記録する記録手段と、を備えた光ディスク装置において、
上記記録手段によるデータの記録を終了する時に、リンキング領域において照射するレーザ光のパワーを、予め定められた第１の条件に基づいて上記記録パワーから徐々に低下させ、また上記記録手段によるデータの記録を開始するときに、リンキング領域において照射するレーザ光のパワーを、上記記録パワー取得手段により取得した記録パワーまで予め定められた第２の条件に基づいて徐々に上昇させるレーザパワー制御手段を備えた光ディスク装置。
【請求項２】
本体にセットされた光ディスクに対して、データを記録するのに適したレーザ光のパワーを取得する記録パワー取得手段と、
上記記録パワー取得手段により取得した記録パワーのレーザ光を照射してデータを記録する記録手段と、を備えた光ディスク装置において、
上記記録手段によるデータの記録を終了する時に、リンキング領域において照射するレーザ光のパワーを、予め定められた第１の条件に基づいて上記記録パワーから低下させるレーザパワー制御手段を備えた光ディスク装置。
【請求項３】
上記レーザパワー制御手段は、上記記録手段によるデータの記録を終了する時に、リンキング領域において照射するレーザ光のパワーを徐々に低下させる請求項２に記載の光ディスク装置。
【請求項４】
上記レーザパワー制御手段は、上記記録手段によるデータの記録を開始するときに、リンキング領域において照射するレーザ光のパワーを、上記記録パワー取得手段により取得した記録パワーまで予め定められた第２の条件に基づいて上昇させる請求項２または３に記載の光ディスク装置。
【請求項５】
上記レーザパワー制御手段は、上記記録手段によるデータの記録を開始する時に、リンキング領域において照射するレーザ光のパワーを徐々に上昇させる請求項４に記載の光ディスク装置。
【発明の詳細な説明】
【０００１】
【発明の属する技術分野】
この発明は、ＤＶＤ−Ｒ／ＲＷ、ＣＤ−Ｒ／ＲＷ等、追記型および書換型の光ディスクに対してデータを記録する光ディスク装置に関する。
【０００２】
【従来の技術】
従来より、ＣＤ−Ｒ／ＲＷ、ＤＶＤ−Ｒ／ＲＷ等、追記型および書換型の光ディスクにデータ（以下、ユーザデータと言う。）を記録する光ディスク装置が一般に普及している。追記型の光ディスクはユーザデータを一度だけ記録することができ、書換型の光ディスクは繰り返し何度もユーザデータを記録することができる。光ディスク装置は、本体にセットされた光ディスクにユーザデータを記録するとき、ユーザデータの記録に先立って、ＯＰＣを実行し、ユーザデータの記録に最適なレーザ光のパワー（以下、記録パワーと言う。）を取得する。ＯＰＣは、周知のように、本体にセットされた光ディスクに設けられているＯＰＣ領域において、照射するレーザ光のパワーを段階的に変化させ、ユーザデータの記録が最適となるレーザ光のパワーを取得する処理である。光ディスク装置は、上記ＯＰＣにより取得した記録パワーのレーザ光を光ディスクに照射し、ユーザデータを記録する。光ディスクに照射されるレーザ光は、記録するユーザデータに応じたパルス波形のレーザ光であり、そのピークが記録パワーである。
【０００３】
また、光ディスク装置は、ユーザデータの記録時に光ディスクに照射しているレーザ光のパワーを検出し、ここで検出したパワーが記録パワーとなるように、光源であるＬＤ（レーザダイオード）の発光量をフィードバック制御している。特に、特許文献１では、パケット間のリンキング領域等で非パルス状のレーザ光を照射し、ＬＤの発光量を検出し、上記フィードバック制御を行うことを提案している。
【０００４】
【特許文献１】
特開平９−１９８６５８号公報
【０００５】
【発明が解決しようとする課題】
しかしながら、従来の光ディスク装置はユーザデータの記録を終了するとき、リンキング領域においても記録パワーのレーザ光を照射している。リンキング領域は、ユーザデータを追記する際にデータのない書き継ぎギャップを起こさないようにするための領域である。光ディスク装置は、ユーザデータの記録を終了する時に、リンキング領域にマークを記録し（ピットを形成し）、次にデータの記録を開始するとき、このリンキング領域に記録されているマークに、マークを重ねて記録する。
【０００６】
なお、リンキング領域に記録されるマークは通常ユーザデータではない。
【０００７】
上述のように従来の光ディスク装置は、データの記録を終了するとき、リンキング領域において記録パワーのレーザ光を照射してマークを記録しているため、リンキング領域に形成されるマークも、ユーザデータと同じ幅である。ところで、ピット（上記ユーザデータ、リンキング領域のマーク）が形成されたところでは、このピットの信号とウォブル信号とが干渉し、ウォブル信号を適正に検出できないことがある。このため、データの追記時に、リンキング領域においてウォブル信号が適正に検出できず、前回のユーザデータの記録位置と、今回のユーザデータの記録位置とがトラックの幅方向にずれ、再生時のエラーレートが高くなるという問題があった。特に、書換型の光ディスクでは、既にユーザデータを記録した領域に、新たに別のユーザデータを記録するとき、データの記録位置がずれて、記録されていたデータが完全に消去されず、データが適正に書き換えられないという問題があった。
【０００８】
この発明の目的は、追記時におけるデータの記録位置と、前回のデータの記録位置とのズレを抑えることにより、再生時におけるエラーレートを低減し、且つ書換記録についても適正に行える光ディスク装置を提供することにある。
【０００９】
【課題を解決するための手段】
この発明の光ディスク装置は、上記課題を解決するために以下の構成を備えている。
【００１０】
（１）本体にセットされた光ディスクに対して、データを記録するのに適したレーザ光のパワーを取得する記録パワー取得手段と、
上記記録パワー取得手段により取得した記録パワーのレーザ光を照射してデータを記録する記録手段と、を備えた光ディスク装置において、
上記記録手段によるデータの記録を終了する時に、リンキング領域において照射するレーザ光のパワーを、予め定められた第１の条件に基づいて上記記録パワーから低下させるレーザパワー制御手段を備えている。
【００１１】
この構成では、レーザパワー制御手段により記録終了時にリンキング領域に対して照射するレーザ光のパワーが第１の条件に基づいて低下されるので、リンキング領域に形成されるマーク（ピット）の幅が抑えられる。このため、リンキング領域において、形成されているマークの信号と、ウォブル信号との干渉を抑えることができる。したがって、ウォブル信号を適正に検出することができ、追記時や書換時に、前回のユーザデータの記録位置と、今回のユーザデータの記録位置とのずれを低減できる。これにより、再生時におけるエラーレートの低減が図れ、且つ書換記録時においても先に記録されていたデータを確実に消去することができ、ユーザデータの書き換えが適正に行える。
【００１２】
（２）上記レーザパワー制御手段は、上記記録手段によるデータの記録を終了する時に、リンキング領域において照射するレーザ光のパワーを徐々に低下させる。
【００１３】
この構成では、リンキング領域において照射するレーザパワーを急激に低下させるのではなく、徐々に低下させるようにしたので、リンキング領域にマークが形成されずに、書き継ぎギャップが生じるという問題も生じない。
【００１４】
（３）上記レーザパワー制御手段は、上記記録手段によるデータの記録を開始するときに、リンキング領域において照射するレーザ光のパワーを、上記記録パワー取得手段により取得した記録パワーまで予め定められた第２の条件に基づいて上昇させる。
【００１５】
この構成では、記録開始時にリンキング領域に対して照射するレーザ光のパワーを第２の条件に基づいて上昇させるようにしたので、リンキング領域において形成されたマークの品質を略同じレベルにできる。
【００１６】
また、記録開始時にリンキング領域に対して照射するレーザ光のパワーについては、急激に上昇させるのではなく、徐々に上昇させるのが好ましい。
【００１７】
【発明の実施の形態】
以下、この発明の実施形態である光ディスク装置について説明する。
【００１８】
図１は、この発明の実施形態である光ディスク装置の主要部の構成を示す図である。この実施形態の光ディスク装置１は、本体の動作を制御する制御部２と、本体にセットされた光ディスク１０にレーザ光を照射するピックアップヘッド３と、ピックアップヘッド３から光ディスク１０に照射するレーザ光のパワーを制御するパワー制御部４と、光ディスク１０に記録するデータを一時的に保持するバッファとして機能するメモリ５と、メモリ５に記憶しているデータをエンコードするエンコーダ６と、を備えている。また、図中に示す７は光ディスク１０を回転させるスピンドルモータである。
【００１９】
ピックアップヘッド３には、周知のようにＬＤ、ＰＤ、対物レンズ等が設けられている。パワー制御回路４は、ＬＤから出力されているレーザ光のパワーをＰＤの受光量から検出し、これに基づいてＬＤの入力電流を制御して、ＬＤから出力されるレーザ光のパワーを所望のパワーにするフィードバック制御を行う。また、データの記録を終了するときにＬＤから出力されるレーザ光のパワーを徐々に低下させたり、データの記録を開始するときにＬＤから出力されるレーザ光のパワーを徐々に上昇させるスロープ制御を行う。さらに、パワー制御回路４は、データの記録時にエンコーダ６から入力されるデータに応じて、ＬＤから出力されるレーザ光のパルス制御を行う。メモリ５には、外部から入力された光ディスク１０に記録するデータ（以下、ユーザデータと言う。）が一時的に記憶される。
【００２０】
次に、この実施形態の光ディスク装置１の動作について説明する。
【００２１】
なお、ここでは光ディスク１０に記録されているデータの再生にかかる動作については周知であるので、その説明を省略する。また、ここでは、光ディスク１０はＤＶＤ−Ｒ（またはＲＷ）として説明する。
【００２２】
図２は、データの記録動作を示すフローチャートである。光ディスク装置１は、本体にセットされている光ディスク１０に記録するユーザデータをメモリに記憶する。光ディスク装置１は、まず本体にセットされている光ディスク１０のＯＰＣ領域において、ユーザデータの記録に最適なレーザ光のパワー（以下、記録パワーと言う。）を取得するＯＰＣを実行する（ｓ１）。ＯＰＣは、周知のように、光ディスク１０に照射するレーザ光のパワーを段階的に変化させ、データの記録が最適であったときのレーザ光のパワーを記録パワーとして取得する処理である。
【００２３】
光ディスク装置１は、上記ＯＰＣにより記録パワーを取得すると、レーザ光の照射位置が記録開始位置になるようにピックアップヘッド３を移動させる（ｓ２）。この記録開始位置は、リンキング領域内にあり、今回ユーザデータを記録する領域よりも１バイトほど手前である（図３参照）。光ディスク装置１のパワー制御部４は、リンキング領域において、照射するレーザ光のパワーを徐々に上昇させる記録開始スロープ制御を行う（ｓ３）。ｓ３にかかる記録開始スロープ制御は、記録開始位置から０．５バイト先の記録位置で、レーザ光のパワーがｓ１で取得した記録パワーの９５％に達し、さらに０．５バイト先の記録位置（記録開始位置から１バイト先の記録位置）で、レーザ光のパワーをｓ１で取得した記録パワーに達するカーブ（図３に示すカーブ）でレーザ光のパワーを徐々に上昇させる制御である。このカーブがこの発明で言う第２の条件に相当する。
【００２４】
パワー制御部４は、エンコーダ６から入力されている記録中を示す信号がインアクティブからアクティブに変化したときに、上記記録開始スロープ制御を開始する。言い換えれば、光ディスク装置１は、上記ｓ１、ｓ２にかかる処理を完了すると、エンコーダ６からパワー制御部４に入力している記録中を示す信号をインアクティブからアクティブに切り換える。これにより、パワー制御部４が記録開始スロープ制御を開始する。
【００２５】
光ディスク装置１は、ｓ３にかかる記録開始スロープ制御を完了し、光ディスク１０に照射しているレーザ光のパワーが記録パワーに達すると、ユーザデータの記録を開始する（ｓ４）。ｓ４では、エンコーダ６がメモリ５に記憶されているユーザデータをエンコードし、このエンコードしたデータをパワー制御部４に入力する。パワー制御部４は、エンコーダからの入力に応じて、光ディスク１０に照射しているレーザ光のパルス制御を行い、光ディスク１０にデータを記録する。このとき、パワー制御部４は、パルス制御されているレーザ光のピークパワーがｓ１で取得した記録パワーとなるようにフィードバック制御を行う。
【００２６】
光ディスク装置１のパワー制御部４は、ユーザデータの記録が完了すると、言い換えればエンコーダ６でエンコードされるデータがなくなると、ユーザデータの記録が完了したと判断し、光ディスクに照射するレーザ光のパワーを徐々に低下させる記録停止スロープ制御を行う（ｓ６）。ｓ６にかかる記録停止スロープ制御は、ユーザデータの記録終了位置から０．５バイト先の記録位置で、レーザ光のパワーがｓ１で取得した記録パワーの９５％に達し、さらに０．５バイト先の記録位置（ユーザデータの記録終了位置から１バイト先の記録位置）で、レーザ光のパワーが０になるカーブ（図３に示すカーブ）でレーザ光のパワーを徐々に低下させる制御である。このカーブがこの発明で言う第１の条件に相当する。
【００２７】
パワー制御部４は、エンコーダ６から入力されている記録中を示す信号がアクティブからインアクティブに変化したときに、上記記録停止スロープ制御を開始する。言い換えれば、光ディスク装置１は、ユーザデータの記録を完了すると、エンコーダ６からパワー制御部４に入力している記録中を示す信号をアクティブからインアクティブに切り換える。これにより、パワー制御部４が記録停止スロープ制御を開始する。
【００２８】
パワー制御部４は、ｓ６にかかる記録停止スロープ処理を行っているとき、適当なパルスのレーザ光を光ディスク１０に照射する。この間にマークが記録される領域がリンキング領域となる。リンキング領域においては、上述のように照射するレーザ光のパワーを徐々に低下させているので、この記録停止スロープ処理が行われている間に記録されるマークは、図４に示すように、その幅が徐々に細くなっていく。光ディスク装置１は、ｓ６にかかる記録停止スロープ制御を完了すると、本処理を終了する。
【００２９】
ｓ６にかかる記録停止スロープ制御によりマークが記録された領域は、次回のユーザデータの記録時（追記時）に、上記ｓ３にかかる処理が行われるリンキング領域となる。このリンキング領域に記録されているマークは、図４に示したようにその幅が徐々に細くなっているので、データの追記時において形成されているマークの信号と、ウォブル信号との干渉を抑えることができる。したがって、ウォブル信号を適正に検出することができ、追記時に前回のユーザデータの記録位置と、今回のユーザデータの記録位置とのずれを低減することができる。これにより、再生時におけるエラーレートの低減が図れる。
【００３０】
また、データの書換時においても、同様にユーザデータの記録位置のずれを低減することができるので、先に記録されていたデータを確実に消去することができ、ユーザデータの書き換えが適正に行える。
【００３１】
なお、上記実施形態では光ディスク１０がＤＶＤ−Ｒ／ＲＷである場合を例にして説明したが、ＣＤ−Ｒ／ＲＷであっても本願発明を適用することにより、追記時に前回のユーザデータの記録位置と、今回のユーザデータの記録位置とのずれが低減できる。但し、規格の相違により、ＣＤ−Ｒ（またはＲＷ）の場合、規格で定められている、記録開始終了位置を中心に、前後４ＥＦＭフレームをリンキング領域とし、図５に示すように記録開始時にはこのリンキング領域において上述した記録開始スロープ処理、およびを記録開始位置の４ＥＦＭフレーム手前からマークの記録を開始し、記録停止位置の４ＥＦＭフレーム手前から上述した記録停止スロープ処理を行えばよい。この場合、ユーザデータは記録開始位置より４ＥＦＭフレーム先から記録され、記録停止位置より４ＥＦＭフレーム手前でその記録が完了する。記録終了位置は、追記時の記録開始位置になる。
【００３２】
【発明の効果】
以上のように、この発明によれば、ユーザデータの記録を終了するときに、リンキング領域に照射するレーザ光のパワーを徐々に低下させるようにしたので、リンキング領域において形成されているマークの信号と、ウォブル信号との干渉を抑えることができる。これにより、追記時に前回のユーザデータの記録位置と、今回のユーザデータの記録位置とのずれが低減できる。これにより、再生時におけるエラーレートの低減が図れる。また、データの書換時においては、先に記録されていたデータを確実に消去することができ、ユーザデータの書き換えが適正に行える。
【図面の簡単な説明】
【図１】この発明の実施形態である光ディスク装置の主要部の構成を示す図である。
【図２】この発明の実施形態である光ディスク装置におけるデータの記録動作を示すフローチャートである。
【図３】この発明の実施形態である光ディスク装置におけるユーザデータの記録時におけるレーザ光のパワーの変化を示す図である。
【図４】リンキング領域に記録されるマークを示す図である。
【図５】この発明の実施形態である光ディスク装置におけるユーザデータの記録時におけるレーザ光のパワーの変化を示す図である。
【符号の説明】
１−光ディスク装置
２−制御部
３−ピックアップヘッド
４−パワー制御部
１０−光ディスク
【図１】
2005025881.tif 000003
【図２】
2005025881.tif 000004
【図３】
2005025881.tif 000005
【図４】
2005025881.tif 000006
【図５】
2005025881.tif 000007